(57)【要約】【課題】情報を表示していないときに、内部の構成を透視できないようにして、簡素なデザインを実現できる電気機器を提供する。【解決手段】電解水生成装置１は、情報を表示するための表示部２が設けられる。表示部２は、電解水生成装置１の正面パネル８の少なくとも一部を構成し、透光性を有する有色の色彩で形成された外装部３０と、外装部３０の内側に配された発光体４と、外装部３０と発光体４との間に配され、発光体４から照射された光を部分的に透過させて予め定められた特定の情報の像を外装部３０へ投影する投影部材５と、発光体４の非発光時に、外装部３０の内側から外装部３０への光の入射を抑制する遮光体６とを備える。遮光体６は、外装部３０よりも内側に配された内装部７０と、正面パネル８と交差する側面パネル１０とを含む。【選択図】  図１
2019028389.tif 000002
【特許請求の範囲】
【請求項１】
情報を表示するための表示部が設けられている電気機器であって、
前記表示部は、
電気機器の正面パネルの少なくとも一部を構成し、透光性を有する有色の色彩で形成された外装部と、
前記外装部の内側に配された発光体と、
前記外装部と前記発光体との間に配され、前記発光体から照射された光を部分的に透過させて予め定められた特定の情報の像を前記外装部へ投影する投影部材と、
前記発光体の非発光時に、前記内側から前記外装部への光の入射を抑制する遮光体とを備え、
前記遮光体は、前記外装部よりも内側に配された内装部と、前記正面パネルと交差する側面パネルとを含む、
電気機器。
【請求項２】
前記遮光体は、前記外装部よりも光の透過率が低い、請求項１記載の電気機器。
【請求項３】
前記内装部は、前記外装部よりも反射率が低い色彩で形成されている、請求項２記載の電気機器。
【請求項４】
前記外装部と前記内装部とは、同系色の色彩で形成されている、請求項２又は３に記載の電気機器。
【請求項５】
前記外装部と前記内装部とは、黒色系統の色彩で形成されている、請求項４記載の電気機器。
【請求項６】
前記外装部の光の透過率は、１０％〜２０％である、請求項１乃至５のいずれかに記載の電気機器。
【発明の詳細な説明】
【技術分野】
【０００１】
本発明は、情報を表示するための表示装置を備えた電気機器に関する。
【背景技術】
【０００２】
従来から、ＬＥＤ（Light Emitting Diode）等の発光素子を用いて情報を表示する表示装置を備えた電気機器が提案されている。例えば、特許文献１では、文字板の裏側に遮光板を備え、その遮光板に表裏を貫通する複数の光透過孔をあけ、その光透過孔にデジタル表示用のＬＥＤを配置し、ＬＥＤのデジタル表示を文字板を透して視認可能に構成されたＬＥＤ表示機能付き時計が開示されている。
【０００３】
同文献では、文字板には、プラスチックやガラスなどよりなる透明材料の表面に印刷により塗装を施して形成したり、プラスチックやガラスなどよりなる色付きの半透明材料を用いて形成したり、デジタル表示用のＬＥＤを点灯したときのみＬＥＤのデジタル表示を文字板を通して視認し得る光透過率を形成する旨記載されている。
【０００４】
しかしながら、上記構成では、文字板の光透過率を調整するのみでは、ＬＥＤの非点灯時であっても、文字板自体の存在等の内部の構成が透明の風防ガラスを介して視認されることがあり、時計のデザインに影響を及ぼしている。このため、非点灯時における内部の構成が透視できない簡素なデザインを実現するためには、さらなる改良が必要とされている。
【先行技術文献】
【特許文献】
【０００５】
【特許文献１】特開２００８−３０９７６０号公報
【発明の概要】
【発明が解決しようとする課題】
【０００６】
本発明は、以上のような実状に鑑み案出されたもので、発光体の非点灯時に、内部の構成を透視できないようにして、簡素なデザインを実現できる電気機器を提供することを主たる目的としている。
【課題を解決するための手段】
【０００７】
本発明は、情報を表示するための表示部が設けられている電気機器であって、前記表示部は、電気機器の正面パネルの少なくとも一部を構成し、透光性を有する有色の色彩で形成された外装部と、前記外装部の内側に配された発光体と、前記外装部と前記発光体との間に配され、前記発光体から照射された光を部分的に透過させて予め定められた特定の情報の像を前記外装部へ投影する投影部材と、前記発光体の非発光時に、前記内側から前記外装部への光の入射を抑制する遮光体とを備え、前記遮光体は、前記外装部よりも内側に配された内装部と、前記正面パネルと交差する側面パネルとを含む。
【０００８】
本発明に係る前記電気機器において、前記遮光体は、前記外装部よりも光の透過率が低い、ことが望ましい。
【０００９】
本発明に係る前記電気機器において、前記内装部は、前記外装部よりも反射率が低い色彩で形成されている、ことが望ましい。
【００１０】
本発明に係る前記電気機器において、前記外装部と前記内装部とは、同系色の色彩で形成されている、ことが望ましい。
【００１１】
本発明に係る前記電気機器において、前記外装部と前記内装部とは、黒色系統の色彩で形成されている、ことが望ましい。
【００１２】
本発明に係る前記電気機器において、前記外装部の光の透過率は、１０％〜２０％である、ことが望ましい。
【発明の効果】
【００１３】
本発明の電気機器は、表示部は、透光性を有する有色の色彩で形成された外装部と、外装部の内側に配された発光体と、外装部と発光体との間に配された投影部材と、外装部の内側から外装部への光の入射を抑制する遮光体とを含む。投影部材は、発光体から照射された光を部分的に透過させて予め定められた特定の情報の像を外装部へ投影する。
【００１４】
内装部及び側面パネルを含む遮光体は、電気機器の外部から内部への光の侵入を抑制する。これにより、発光体の非発光時に、電気機器の内部の暗さが維持され、外装部の内側から外装部への光の入射が抑制される。そして、上記電気機器の内部の暗さが維持されることは、外装部が有色の色彩で形成されていることと相まって、投影部材を含む表示部の内部構成を隠蔽する。これにより、表示部に情報を表示していない非発光時に、投影部材から外装部に情報の像が投影されることがなく、また、内部の構成が透視できなくなり、電気機器のデザインが簡素化され、電気機器の商品価値が高められる。
【図面の簡単な説明】
【００１５】
【図１】本発明の電気機器の一例である電解水生成装置の一実施形態を示す分解斜視図である。
【図２】図１の投影部材の正面図である。
【図３】図１の表示部に情報を表示しているときの電解水生成装置の正面図である。
【図４】図１の表示部に情報を表示していないときの電解水生成装置の正面図である。
【発明を実施するための形態】
【００１６】
以下、本発明の実施の一形態が図面に基づき説明される。
図１は、本実施形態の電気機器の一例である電解水生成装置の構成を示す分解斜視図である。図１に示されるように、本実施形態の電解水生成装置１は、水を電気分解することにより、水素ガス又は酸素ガスが溶け込んだ電解水を生成する装置であり、情報を表示するための表示部２を備えている。
【００１７】
表示部２は、電解水生成装置１が生成する電解水の種別及び電気分解によって発生した水素ガスの溶存濃度等、電解水生成装置１の動作に関する各種の情報を表示する。なお、本実施形態では、表示部２が情報を表示する外表面を電解水生成装置１の正面とする。
【００１８】
表示部２は、外装部３０と、発光体４と、投影部材５と、遮光体６とを含んでいる。
【００１９】
外装部３０は、電解水生成装置１の外表面の一部を構成する外ケース３の本体と一体に形成されている。外装部３０は、外ケース３の本体と別の部品にて形成されていてもよい。
【００２０】
外ケース３は、透光性を有する有色の色彩の合成樹脂等によって形成されている。これにより、外装部３０は、透光性を有する有色の色彩で形成される。外装部３０に透光性が付与されることにより、外装部３０の内側から外側に向かって入射した光が外装部３０を透過して、表示部２の外表面に情報が表示される。「有色の色彩」とは、無色透明の形態を除く趣旨であり、色味を帯びた有彩色の他、色味のない無彩色を含む。
【００２１】
発光体４は、外装部３０の内側に配されている。発光体４には、ＬＥＤ等の発光素子が適用されている。本実施形態では、発光体４として、回路基板９上に配列された複数のＬＥＤ４１と、７セグメントＬＥＤ４２とが用いられている。発光体４は、電解水生成装置１の制御を司る制御部（図示せず）によって制御される。
【００２２】
各ＬＥＤ４１は、例えば、電解水生成装置１の動作状態や電解水生成装置１に設けられている浄水カートリッジの交換を促すための情報をそれぞれ表示する。７セグメントＬＥＤ４２は、７つのセグメントのＬＥＤを適宜表示させて、文字を表示することができる。７セグメントＬＥＤ４２は、例えば、電解水生成装置１が生成する電解水素水中の溶存水素濃度を、数値で表示する。７セグメントＬＥＤ４２に替えて、１６セグメントＬＥＤ等が適用されていてもよい。
【００２３】
投影部材５は、外装部３０と発光体４との間に配されている。投影部材５は、発光体４から照射された光を部分的に透過させて、予め定められた特定の情報の像を外装部３０へ投影する。特定の情報としては、例えば、文字や図形等のマークが挙げられる。電解水生成装置１のユーザーは、外装部３０に投影された文字や図形等の像を視認して、電解水生成装置１の動作状態等を理解することができる。
【００２４】
図２は、投影部材５の正面図である。本実施形態の投影部材５は、例えば、外装部３０の内表面に遮光性を有する塗料が印刷等により膜状に形成されてなる。
【００２５】
投影部材５には、発光体４から照射された光を遮断するための遮光部５１と、光を部分的に透過させるための透過部５２が形成されている。遮光部５１は、遮光性を有する塗膜によって実現される。これにより、投影部材５は、外装部３０の内表面に密着して形成され、外装部３０と投影部材５との隙間から光が漏れることが抑制される。透過部５２は、特定の情報に対応する形状に形成されている。透過部５２には、遮光性を有する塗膜が形成されておらず、発光体４から照射された光は透過部５２を透過する。これにより、外装部３０には、その内側から特定の情報の像が投影される。
【００２６】
投影部材５は、例えば、遮光性を有する薄板状部材によって構成されていてもよい。この場合、薄板状部材に、該薄板状部材を厚さ方向に貫通するように打ち抜かれた窓等によって、透過部５２が構成されうる。また、この場合の投影部材５も、外装部３０の内表面に密着して設けられるのが望ましい。
【００２７】
図３は、電解水素水を生成中の電解水生成装置１を示している。このとき、発光体４が適宜発光し、「水素水」を生成している旨の情報、生成された電解水素水の溶存水素濃度に関する情報、及び電解水を生成中であることを示す情報の像が、投影部材５から外装部３０に投影され、表示部２に表示される。
【００２８】
遮光体６は、電解水生成装置１の外部から内部への光の侵入を抑制する。遮光体６は、発光体４の非発光時（以下、単に非発光時と記す）に、電解水生成装置１の内部の暗さを維持し、外装部３０の内側から外装部３０への光の入射を抑制する。
【００２９】
図４は、動作を休止している状態の電解水生成装置１を示している。本実施形態では、休止状態において、いずれの発光体４も発光せず、表示部２は、情報を表示しない。この非発光時において、遮光体６は、電解水生成装置１の内部の暗さを維持する。このような遮光体６は、有色の色彩で形成された外装部３０と相まって、発光体４、投影部材５及び遮光体６等の存在が外装部３０から透視されることを抑制し、表示部２の内部構成を隠蔽する。これにより、表示部２に情報を表示していない非発光時に、投影部材から外装部に情報の像が投影されることがなく、また、内部の構成が透視できなくなり、電解水生成装置１のデザインが簡素化され、電解水生成装置１の商品価値が高められる。
【００３０】
外装部３０の透過率が大きくなるほど、表示部２の内部構成を隠蔽する効果が高められる。従って、発光時における表示部２の視認性を確保しつつ非発光時における表示部２の内部構成を十分に隠蔽するために、外装部３０の望ましい透過率は、１０％〜２０％である。ここで、透過率とは、可視光の透過率を意図している。
【００３１】
外装部３０と投影部材５の遮光部５１の少なくとも外装部３０に面する表面とは、同系色の色彩で形成されているのが望ましい。これにより、外装部３０の内側に位置する投影部材５が目立たなくなり、非発光時における表示部２の内部構成の隠蔽性が高められる。
【００３２】
なお、「同系色の色彩」とは、色相、明度及び彩度の全て、あるいはいずれかにおいて同一又は類似の色のことを意味する。「色相」において類似する色とは、例えば、PCCS（日本色研配色体系：Practical Color Coordinate System）の２４色相の色相環において、ある色相に着目したときに隣接する色相を含む色までとすることができる。「明度及び彩度」において類似する色とは、例えば、PCCSの明度表（明度は１７段階、彩度は１０段階のトーンマップ）において、ある明度及び彩度に着目したときに隣接する明度及び彩度を含む色までとすることができる。
【００３３】
図１に示されるように、遮光体６は、外装部３０の内側に配された内装部７０を含んでいる。内装部７０は、外ケース３の内側に配される内ケース７の本体と一体に形成されている。内装部７０は、内ケース７の本体と別の部品にて形成されていてもよい。
【００３４】
内ケース７は、外ケース３よりも光の透過率が低い有色の色彩の合成樹脂等によって形成されている。これにより、内装部７０は、外装部３０よりも光の透過率が低く形成される。このような内装部７０により内装部７０の内側から外装部３０に向かう光が遮蔽され、外装部３０への光の入射が抑制される。従って、非発光時における表示部２の内部構成の隠蔽性が高められる。
【００３５】
本実施形態では、外ケース３と内ケース７とが嵌合により一体化され、電解水生成装置１の正面パネル８を構成する。これにより、電解水生成装置１の正面に表示部２が配される。内ケース７は、外ケース３と一体化される形態の他、電解水生成装置１の本体フレーム（図示せず）に固定される形態であってもよい。
【００３６】
遮光体６は、正面パネル８と交差する側面パネル１０を含んでいる。本実施形態では、側面パネル１０は、筒状に形成されている。側面パネル１０は、電解水生成装置１の正面から視て、上下左右の面で分割されていてもよい。側面パネル１０は、外装部３０よりも光の透過率が低く形成されている。側面パネル１０は、回路基板９の面内方向、すなわち、電解水生成装置１の側方から内部に入射する光を遮蔽する。これにより、外装部３０の内側が暗くなり、非発光時における表示部２の内部構成の隠蔽性が高められる。
【００３７】
内装部７０は、外装部３０よりも反射率が低い色彩で形成されているのが望ましい。これにより、外装部３０の外側から入射し、内装部７０によって反射されて、外装部３０の内側に入射する光が抑制され、非発光時における表示部２の内部構成の隠蔽性が高められる。
【００３８】
外装部３０と内装部７０とは、同系色の色彩で形成されているのが望ましい。これにより、外装部３０から表示部２を視たとき内装部７０の存在が目立たなくなり、非発光時における表示部２の内部構成の隠蔽性が高められる。
【００３９】
投影部材５と内装部７０とは、同系色の色彩で形成されているのが望ましい。これにより、外装部３０の内側で投影部材５と内装部７０との境界が目立たなくなり、非発光時における表示部２の内部構成の隠蔽性が高められる。
【００４０】
外装部３０と内装部７０とは、黒色系統の色彩で形成されているのが望ましい。これにより、外装部３０の内側が暗くなると共に、内装部７０によって反射されて、外装部３０の外側に出射する光が抑制され、非発光時における表示部２の内部構成の隠蔽性が高められる。
【００４１】
遮光体６は、内装部７０の内側、すなわち、電解水生成装置１の正面から視て背面側に配された回路基板９を含み、発光体４は、回路基板９に搭載されているのが望ましい。回路基板９は、光を遮蔽する。これにより、表示部２の構成を簡素化しつつ、非発光時における表示部２の内部構成の隠蔽性が高められる。本実施形態では、回路基板９は、投影部材５と実質的に平行に配されている。これにより、全ての発光体４から外装部３０までの距離が略一定となり、表示部２に表示される像の明るさが均一化され、良好な視認性が得られる。
【００４２】
内装部７０には、発光体４から照射された光を通過させる貫通孔７１が設けられている。これにより、発光体４から出射された光を投影部材５に入射させることができる。本実施形態では、貫通孔７１の内側を覆うように回路基板９が配されているので、非発光時に回路基板９の側から貫通孔７１を通過して外装部３０に入射する光が抑制される。
【００４３】
回路基板９の内装部７０に面する表面（すなわち、外装部３０に向く表面）には、反射被膜（図示せず）が形成されているのが望ましい。この場合、反射被膜は、回路基板９の内装部７０に面する表面のうち、少なくとも貫通孔７１に面する領域に形成されていればよい。
【００４４】
反射被膜によって発光体４から照射された光の一部が、外装部３０の方向に反射される。これにより、外装部３０の内側から入射する光量が増し、表示部２に投影される像が明瞭となり、良好な視認性が得られる。
【００４５】
遮光体６は、正面パネル８と平行に背面パネル１１を含んでいる。外装部３０、側面パネル１０及び背面パネル１１によって箱状のケースが構成され、電解水生成装置１の外表面となる。背面パネル１１は、外装部３０よりも光の透過率が低く形成されている。背面パネル１１は、電解水生成装置１の背面側から内部に入射する光を遮蔽する。これにより、外装部３０の内側が暗くなり、非発光時における表示部２の内部構成の隠蔽性が高められる。
【００４６】
発光体４と投影部材５との間には、光を拡散する拡散部材１２が設けられているのが望ましい。本実施形態では、拡散部材１２は、投影部材５と遮光体６との間に配されている。拡散部材１２によって発光体４から出射された光が均一化されて、投影部材５に入射する。これにより、表示部２に表示される像の明るさが均一化され、良好な視認性が得られる。
【００４７】
本実施形態では、外装部３０には、ユーザーによってタッチ操作される操作部１３が設けられ、拡散部材１２と内装部７０との間には、フィルム状のタッチスイッチ１４が設けられている。タッチスイッチ１４は、操作部１３の内側に配されている。
【００４８】
タッチスイッチ１４には、例えば、複数の静電容量式のタッチセンサー１４ａが設けられている。操作部１３において、タッチセンサー１４ａに対向する位置には、複数の小突起１３ａが形成され、小突起１３ａによってタッチセンサー１４ａが検出可能な位置が特定される。一方、内装部７０においてタッチセンサー１４ａに対向する位置には、貫通孔７２が形成され、回路基板９において貫通孔７２に対向する位置には、ＬＥＤ４３が形成されている。
【００４９】
ユーザーによって小突起１３ａがタッチ操作されると、タッチセンサー１４ａを挟んで対向するＬＥＤ４３が発光し、貫通孔７２を通過した光が外装部３０に投影され、表示部２に表示される。これにより、ユーザーは、タッチ操作の有効性を視覚によって確認できる。
【００５０】
外装部３０、側面パネル１０及び背面パネル１１によって構成されるケースの内部には、浄水カートリッジ及び電解槽等の電解水生成装置１の構成が収容される。浄水カートリッジ及び電解槽等の構成については、例えば、特開２０１５−１６７８６９号公報に開示されるものと同等であるため、その説明は省略される。
【００５１】
以上、本発明の電解水生成装置１が詳細に説明されたが、本発明は上記の具体的な実施形態に限定されることなく種々の態様に変更して実施される。すなわち、本発明の電気機器は、少なくとも、情報を表示するための表示部２が設けられ、表示部２は、電気機器の正面パネル８の少なくとも一部を構成し、透光性を有する有色の色彩で形成された外装部３０と、外装部３０の内側に配された発光体４と、外装部３０と発光体４との間に配され、発光体４から照射された光を部分的に透過させて予め定められた特定の情報の像を外装部３０へ投影する投影部材５と、発光体４の非発光時に、外装部３０の内側から外装部３０への光の入射を抑制する遮光体６とを備え、遮光体６は、外装部３０よりも内側に配された内装部７０と、正面パネル８と交差する側面パネル１０とを含んでいればよい。
【００５２】
本発明は、電解水生成装置１に限定されることなく、情報を表示するための表示部２が設けられる各種の電気機器に広く適用可能である。
【符号の説明】
【００５３】
１    ：電解水生成装置（電気機器）
２    ：表示部
４    ：発光体
５    ：投影部材
６    ：遮光体
８    ：正面パネル
１０  ：側面パネル
３０  ：外装部
７０  ：内装部 
【図１】
2019028389.tif 000003
【図２】
2019028389.tif 000004
【図３】
2019028389.tif 000005
【図４】
2019028389.tif 000006